(57)【要約】【課題】現地据付工数を低減させることができる調湿装置および空気調和機を提供する。【解決手段】調湿装置は、調湿部と、送風部と、ケーシング３０とを備える。調湿部は、空気の湿度を調整する部分である。送風部は、調湿部によって湿度を調整され室内へと供給される空気の流れを生成する。ケーシング３０は、調湿部と送風部とを収納し、室内の冷暖房を行う室内ユニット２と正面パネルとのいずれかを前面に選択的に取付可能であり、室内の壁面に取り付けられる。【選択図】図１
2008073651.tif 000002
【特許請求の範囲】
【請求項１】
空気の湿度を調整する調湿部（１０）と、
前記調湿部（１０）によって湿度を調整され室内へと供給される空気の流れを生成する送風部（２０）と、
前記調湿部（１０）と前記送風部（２０）とを収納し、室内の冷暖房を行う室内ユニット（２）と正面パネル（３４）とのいずれかを前面に選択的に取付可能であり、室内の壁面に取り付けられるケーシング（３０）と、
を備える調湿装置（３，５）。
【請求項２】
前記ケーシング（３０）の上面には、室内から取り込まれる空気が通る吸込み口（３１）が設けられている、
請求項１に記載の調湿装置（３，５）。
【請求項３】
前記ケーシング（３０）の上面には、室内へ吹き出される空気が通る吹出し口（３２，３３）が設けられている、
請求項２に記載の調湿装置（３，５）。
【請求項４】
前記ケーシング（３０）の下面には、室内へ吹き出される空気が通る吹出し口（３２，３３）が設けられている、
請求項２に記載の調湿装置（３，５）。
【請求項５】
前記調湿部（１０）は、水分を吸着および離脱可能な調湿ローター（１１）と、前記調湿ローター（１１）を回転させて前記調湿ローター（１１）のうち水分を吸着する吸着部分（１５）と水分を離脱する離脱部分（１４）とを切り換える駆動部（１３）とを有し、
前記送風部（２０）は、室内から取り込まれ室外へ排出される空気の流れを生成する第１送風ファン（２１）と、室外から取り込まれ前記離脱部分（１４）を通り室内へと供給される空気の流れを生成する第２送風ファン（２２）とを有する、
請求項１から４のいずれかに記載の調湿装置（３）。
【請求項６】
前記調湿部（１０）は、水分を吸着および離脱可能な調湿ローター（１１）と、前記調湿ローター（１１）を回転させて前記調湿ローター（１１）のうち水分を吸着する吸着部分（１５）と水分を離脱する離脱部分（１４）とを切り換える駆動部（１３）とを有し、
前記送風部（２０）は、室外から取り込まれ前記吸着部分（１５）を通り室内へと供給される空気の流れを生成する第１送風ファン（２１）と、室内から取り込まれ室外へ排出される空気の流れを生成する第２送風ファン（２２）とを有する、
請求項１から４のいずれかに記載の調湿装置（３）。
【請求項７】
前記調湿部（１０）は、水分を吸着および離脱可能な調湿ローター（１１）と、前記調湿ローター（１１）を回転させて前記調湿ローター（１１）のうち水分を吸着する吸着部分（１５）と水分を離脱する離脱部分（１４）とを切り換える駆動部（１３）とを有し、
前記送風部（２０）は、室外から取り込まれ前記吸着部分（１５）を通った後に、前記離脱部分（１４）を通り室内へ供給されるルートと、前記離脱部分（１４）を通らずに室外へ排出されるルートに分かれる空気の流れを生成する送風ファン（５１）を有する、
請求項１から４のいずれかに記載の調湿装置（５）。
【請求項８】
前記調湿部（１０）は、水分を吸着および離脱可能な調湿ローター（１１）と、前記調湿ローター（１１）を回転させて前記調湿ローター（１１）のうち水分を吸着する吸着部分（１５）と水分を離脱する離脱部分（１４）とを切り換える駆動部（１３）とを有し、
前記送風部（２０）は、室外又は室内から取り込まれ前記吸着部分（１５）を通った後に、前記離脱部分（１４）を通り室外へ排出されるルートと、前記離脱部分（１４）を通らずに室内へ供給されるルートに分かれる空気の流れを生成する送風ファン（５１）を有する、
請求項１から４のいずれかに記載の調湿装置（５）。
【請求項９】
前記室内ユニット（２）と、
前記室内ユニット（２）の背面寸法と等しい正面寸法を有する請求項１から８のいずれかに記載の調湿装置（３，５）と、
を備える空気調和機（１）。
【請求項１０】
前記室内ユニット（２）による冷暖房運転と、前記調湿装置（３，５）による調湿運転とを独立して制御可能である、
請求項９に記載の空気調和機（１）。
【発明の詳細な説明】
【技術分野】
【０００１】
本発明は、調湿装置および空気調和機に関する。
【背景技術】
【０００２】
従来、室外ユニットに載置され、空気を調湿して室内ユニットに送る調湿装置が利用されている。この調湿装置は、室内ユニットとの間を繋ぐ送風用ホースに接続されており、送風用ホースを介して、調湿した空気を室内ユニットへと送る（特許文献１参照）。
【特許文献１】特許第３４３８６７２号公報
【発明の開示】
【発明が解決しようとする課題】
【０００３】
しかし、上記のような調湿装置では、室内機との間を繋ぐ送風用ホースの施工が必要であり、現地据付工数を増大させる要因となっている。
【０００４】
本発明の課題は、現地据付工数を低減させることができる調湿装置および空気調和機を提供することにある。
【課題を解決するための手段】
【０００５】
第１発明に係る調湿装置は、調湿部と、送風部と、ケーシングとを備える。調湿部は、空気の湿度を調整する部分である。送風部は、調湿部によって湿度を調整され室内へと供給される空気の流れを生成する。ケーシングは、調湿部と送風部とを収納し、室内の冷暖房を行う室内ユニットと正面パネルとのいずれかを前面に選択的に取付可能であり、室内の壁面に取り付けられる。
【０００６】
この調湿装置では、ケーシングを室内の壁面に取り付け、且つ、ケーシングの前面に室内ユニットを取り付けることにより、調湿装置を室内ユニットと共に室内に設置することができる。このため、調湿装置と室内ユニットとを繋ぐ長い送風用ホースが不要となり、現地据付工数を低減させることができる。また、この調湿装置では、ケーシングを室内の壁面に取り付け、且つ、ケーシングの前面に正面パネルを取り付けることにより、調湿装置を単独で室内に設置することができる。このため、同種の調湿装置を単独での使用と室内ユニットとの併用とのどちらにも利用することが可能となり、調湿装置の生産性を向上させることができる。
【０００７】
第２発明に係る調湿装置は、第１発明の調湿装置であって、ケーシングの上面には、室内から取り込まれる空気が通る吸込み口が設けられている。
【０００８】
この調湿装置では、正面に室内ユニットが取り付けられた状態でも、上面に設けられた吸込み口から空気を吸い込むことができる。
【０００９】
第３発明に係る調湿装置は、第２発明の調湿装置であって、ケーシングの上面には、室内へ吹き出される空気が通る吹出し口が設けられている。
【００１０】
この調湿装置では、正面に室内ユニットが取り付けられた状態でも、上面に設けられた吹出し口から空気を吹き出すことができる。
【００１１】
第４発明に係る調湿装置は、第２発明の調湿装置であって、ケーシングの下面には、室内へ吹き出される空気が通る吹出し口が設けられている。
【００１２】
この調湿装置では、正面に室内ユニットが取り付けられた状態でも、ケーシングの下面に設けられた吹出し口から空気を吹き出すことができる。また、ケーシングの上面の吸込み口から空気が吸い込まれ、ケーシングの下面に設けられた吹出し口から空気が吹き出されるため、ショートサーキットの発生を抑えることができる。
【００１３】
第５発明に係る調湿装置は、第１発明から第４発明のいずれかの調湿装置であって、調湿部は、水分を吸着および離脱可能な調湿ローターと、調湿ローターを回転させて調湿ローターのうち水分を吸着する吸着部分と水分を離脱する離脱部分とを切り換える駆動部とを有する。また、送風部は、室内から取り込まれ室外へ排出される空気の流れを生成する第１送風ファンと、室外から取り込まれ離脱部分を通り室内へと供給される空気の流れを生成する第２送風ファンとを有する。
【００１４】
この調湿装置では、第１送風ファンによって、室内から取り込まれ室外へ排出される空気の流れが生成され、室内の汚れた空気を室外へ排出することができる。また、第２送風ファンによって、室外から取り込まれ離脱部分を通り室内へと供給される空気の流れが生成され、離脱部分によって水分を供給された加湿空気が室内に供給される。これにより、室内の加湿を行うことができる。また、これらの空気の流れは、第１送風ファンと第２送風ファンという２つの別の送風ファンによって生成されるため、第１送風ファンと第２送風ファンとを共に駆動することによって、室内空気の室外への排気と室外空気の室内への給気とを同時に行うことができる。
【００１５】
第６発明に係る調湿装置は、第１発明から第４発明のいずれかの調湿装置であって、調湿部は、水分を吸着および離脱可能な調湿ローターと、調湿ローターを回転させて調湿ローターのうち水分を吸着する吸着部分と水分を離脱する離脱部分とを切り換える駆動部とを有する。また、送風部は、室外から取り込まれ吸着部分を通り室内へと供給される空気の流れを生成する第１送風ファンと、室内から取り込まれ室外へ排出される空気の流れを生成する第２送風ファンとを有する。
【００１６】
この調湿装置では、第１送風ファンによって、室外から取り込まれ吸着部分を通り室内へ供給される空気の流れが生成され、吸着部分によって水分が吸着された除湿空気を室内へ供給することができる。また、第２送風ファンによって、室内から取り込まれ室外へと排出される空気の流れが生成される。これにより、室内の除湿を行うことができる。また、これらの空気の流れは、第１送風ファンと第２送風ファンという２つの別の送風ファンによって生成されるため、第１送風ファンと第２送風ファンとを共に駆動することによって、室内空気の室外への排気と室外空気の室内への給気とを同時に行うことができる。
【００１７】
第７発明に係る調湿装置は、第１発明から第４発明のいずれかの調湿装置であって、調湿部は、水分を吸着および離脱可能な調湿ローターと、調湿ローターを回転させて調湿ローターのうち水分を吸着する吸着部分と水分を離脱する離脱部分とを切り換える駆動部とを有する。また、送風部は、室外から取り込まれ吸着部分を通った後に、離脱部分を通り室内へ供給されるルートと、離脱部分を通らずに室外へ排出されるルートに分かれる空気の流れを生成する送風ファンを有する。
【００１８】
この調湿装置では、送風ファンによって、室外から取り込まれ吸着部分を通った後に、２つのルートに分かれる空気の流れが生成される。２つのルートのうちの一方は、離脱部分を通り室内へ供給されるルートであり、離脱部分において多くの水分を供給された加湿空気が室内へと供給される。他方のルートは、離脱部分を通らずに室外へ排出されるルートであり、吸着部分において水分を失った空気が室外へ排出される。すなわち、この調湿装置では、１つの送風モーターによって、水分を供給されて室内へ供給される空気の流れと、水分を失って室外へ排出される空気の流れとを生成して、無給水による室内の加湿が可能となっている。
【００１９】
第８発明に係る調湿装置は、第１発明から第４発明のいずれかの調湿装置であって、調湿部は、水分を吸着および離脱可能な調湿ローターと、調湿ローターを回転させて調湿ローターのうち水分を吸着する吸着部分と水分を離脱する離脱部分とを切り換える駆動部とを有する。また、送風部は、室外又は室内から取り込まれ吸着部分を通った後に、離脱部分を通り室外へ排出されるルートと、離脱部分を通らずに室内へ供給されるルートに分かれる空気の流れを生成する送風ファンを有する。
【００２０】
この調湿装置では、送風ファンによって、室外又は室内から取り込まれ吸着部分を通った後に、２つのルートに分かれる空気の流れが生成される。２つのルートのうちの一方は、離脱部分を通り室外へ排出されるルートであり、離脱部分から離脱された水分を含む空気が室外へと排出される。他方のルートは、離脱部分を通らずに室内へ供給されるルートであり、吸着部分において水分を失った除湿空気が室内へと供給される。すなわち、この調湿装置では、１つの送風モーターによって、水分を室外へ排出する空気の流れと、水分を供給されて室内へ供給される空気の流れとを生成して、水の処理が不要な室内の除湿が可能となっている。
【００２１】
第９発明に係る空気調和機は、室内ユニットと、室内ユニットの背面寸法と等しい正面寸法を有する第１発明から第８発明のいずれかの調湿装置とを備える。
【００２２】
この空気調和機では、室内ユニットの背面寸法と、調湿装置の正面寸法とが等しいため、調湿装置の正面に室内ユニットを取り付けた状態では、室内ユニットと調湿装置との一体感が高く、外観上の違和感を少なくすることができる。
【００２３】
第１０発明に係る空気調和機は、第９発明の空気調和機であって、室内ユニットによる冷暖房運転と、調湿装置による調湿運転とを独立して制御可能である。
【００２４】
この空気調和機では、室内ユニットによる冷暖房運転と調湿運転による調湿運転とを独立して行うことができるため、冷暖房運転と調湿運転との併用や、冷暖房運転および調湿運転のいずれか一方のみの運転を室内の状況に応じて切り替えて行うことができる。
【発明の効果】
【００２５】
第１発明に係る調湿装置では、ケーシングを室内の壁面に取り付け、且つ、ケーシングの前面に室内ユニットを取り付けることにより、調湿装置を室内ユニットと共に室内に設置することができる。このため、調湿装置と室内ユニットとを繋ぐ長い送風用ホースが不要となり、現地据付工数を低減させることができる。また、この調湿装置では、ケーシングを室内の壁面に取り付け、且つ、ケーシングの前面に正面パネルを取り付けることにより、調湿装置を単独で室内に設置することができる。このため、同種の調湿装置を単独での使用と室内ユニットとの併用とのどちらにも利用することが可能となり、調湿装置の生産性を向上させることができる。
【００２６】
第２発明に係る調湿装置では、正面に室内ユニットが取り付けられた状態でも、上面に設けられた吸込み口から空気を吸い込むことができる。
【００２７】
第３発明に係る調湿装置では、正面に室内ユニットが取り付けられた状態でも、上面に設けられた吹出し口から空気を吸い込むことができる。
【００２８】
第４発明に係る調湿装置では、正面に室内ユニットが取り付けられた状態でも、ケーシングの下面に設けられた吹出し口から空気を吹き出すことができる。また、ケーシングの上面の吸込み口から空気が吸い込まれ、ケーシングの下面に設けられた吹出し口から空気が吹き出されるため、ショートサーキットの発生を抑えることができる。
【００２９】
第５発明に係る調湿装置では、室内の加湿を行うことができると共に、室内空気の室外への排気と室外空気の室内への給気とを同時に行うことができる。
【００３０】
第６発明に係る調湿装置では、室内の除湿を行うことができると共に、室内空気の室外への排気と室外空気の室内への給気とを同時に行うことができる。
【００３１】
第７発明に係る調湿装置では、１つの送風モーターによって、水分を供給されて室内へ供給される空気の流れと、水分を失って室外へ排出される空気の流れとを生成して、無給水による室内の加湿が可能となっている。
【００３２】
第８発明に係る調湿装置では、１つの送風モーターによって、水分を室外へ排出する空気の流れと、水分を供給されて室内へ供給される空気の流れとを生成して、水の処理が不要な室内の除湿が可能となっている。
【００３３】
第９発明に係る空気調和機では、調湿装置の正面に室内ユニットを取り付けた状態では、室内ユニットと調湿装置との一体感が高く、外観上の違和感を少なくすることができる。
【００３４】
第１０発明に係る空気調和機では、冷暖房運転と調湿運転との併用や、冷暖房運転および調湿運転のいずれか一方のみの運転を室内の状況に応じて切り替えて行うことができる。
【発明を実施するための最良の形態】
【００３５】
＜第１実施形態＞
本発明の第１実施形態に係る空気調和機１を図１に示す。この空気調和機１は、冷暖房運転を行う室内ユニット２と、加湿運転および除湿運転などの調湿運転を行う調湿装置３とを備える。調湿装置３は室内ユニット２の背面に設けられており、調湿装置３と室内ユニット２とは着脱自在となっている。また、調湿装置３の正面寸法と室内ユニット２の背面寸法とは等しく、調湿装置３の上面、両側面および底面は、室内ユニット２の上面、両側面および底面とそれぞれ面一となっている。
【００３６】
〔室内ユニット２〕
室内ユニット２は、図示しない室外機と冷媒配管および通信線によって接続されており、室外機と共に冷凍サイクルを構成する冷媒回路を有する。室内ユニット２は、冷媒回路に冷媒を循環させることによって室内の冷暖房を行うことができる。
【００３７】
なお、室内ユニット２には、後述する調湿装置３とは別の制御部が備えられており、調湿装置３の調湿運転から独立して冷暖房運転を行うことができる。
【００３８】
〔調湿装置３〕
調湿装置３は、図２に示すように、空気の湿度を調整する調湿部１０と、調湿部１０によって湿度を調整され室内へと供給される空気の流れを生成する送風部２０と、調湿部１０と送風部２０とを収納するケーシング３０と、制御部４０（図４参照）とを備える。
【００３９】
〈ケーシング３０〉
ケーシング３０は、前後方向の寸法の小さい薄型の箱状の形状を有しており、室内の壁面に取り付けられる。ケーシング３０は、室内ユニット２と正面パネル３４とに共通する取付部（図示せず）を有しており、室内ユニット２と正面パネル３４とのいずれかを前面に選択的に取付可能となっている。図３に正面パネル３４が取り付けられた状態の調湿装置３を示す。
【００４０】
なお、ケーシング３０の上面には、室内から取り込まれる空気が通る吸込み口３１と、室内へ吹き出される空気が通る吹出し口３２，３３とが設けられている。
【００４１】
〈調湿部１０〉
調湿部１０は、調湿ローター１１と、加熱部１２と、駆動部１３（図４参照）とを有する。
【００４２】
調湿ローター１１は、概ね円盤状の形状を有するセラミックローターであり、空気が容易に透過できる構造となっている。調湿ローター１１には、ゼオライト、シリカゲル、アルミナ等の吸着剤が含浸されており、水分を吸着すると共に加熱されることによって吸着した水分を離脱する性質を有する。調湿ローター１１は、その中心軸が調湿装置３の前後方向に平行になるように配置されており、この中心軸を中心に回転可能に設けられている。
【００４３】
加熱部１２は、調湿ローター１１の一部（図２では左半分）に対向して配置されており、調湿ローター１１の一部を加熱する。
【００４４】
駆動部１３は、調湿ローター１１を回転させるモーターであり、調湿ローター１１を回転させることにより調湿ローター１１のうち水分を吸着する吸着部分１５と水分を離脱する離脱部分１４とを切り換える。すなわち、上述した調湿ローター１１のうち加熱部１２によって加熱される位置にある部分は、加熱部１２によって加熱されることにより水分を離脱する離脱部分１４となっている。また、調湿ローター１１のうち加熱部１２によって加熱されない位置にある部分は、水分を吸着する吸着部分１５となっている。そして、駆動部１３が調湿ローター１１を回転させることにより、加熱部１２によって加熱される位置にあった部分が加熱部１２によって加熱されない位置へと移動する。また、それと同時に、加熱部１２によって加熱されない位置にあった部分が加熱部１２によって加熱される位置へと移動する。これにより、駆動部１３は、調湿ローター１１の吸着部分１５と離脱部分１４とを切り換えることができる。
【００４５】
〈送風部２０〉
送風部２０は、第１送風ファン２１と、第２送風ファン２２と、空気流路切換部２５（図４参照）とを有する。
【００４６】
第１送風ファン２１は、ターボファンなどの遠心ファンであり、第２送風ファン２２よりも出力が大きい。第１送風ファン２１は、調湿ローター１１の側方（図２では右側方）に配置されている。第１送風ファン２１は、第１送風ファンモーター２３（図４参照）によって駆動され、調湿ローター１１の吸着部分１５を通る空気の流れを生成可能である。より詳細には、図５〜図８に示すように、第１送風ファン２１は、第１空気流Ａ１と第２空気流Ａ２と第３空気流Ａ３と第４空気流Ａ４とを生成可能であり、これらの空気流は空気流路切換部２５によって切り換えられる。
【００４７】
図５に示すように、第１空気流Ａ１は、室外から取り込まれ吸着部分１５を通り室外へ排出される空気の流れである。図６に示すように、第２空気流Ａ２は、室外から取り込まれ吸着部分１５を通った空気と室内から取り込まれた空気とを合流させて室外へ排出する空気の流れである。図７に示すように、第３空気流Ａ３は、室外から取り込まれ吸着部分１５を通った後に室外へ排出される空気と室内へ供給される空気とに分かれる空気の流れである。図８に示すように、第４空気流Ａ４は、室内から取り込まれ吸着部分１５を通り室内へと供給される空気の流れである。
【００４８】
第２送風ファン２２は、第１送風ファン２１と同様に、ターボファンなどの遠心ファンであり、第１送風ファン２１とは反対側の調湿ローター１１の側方（図２では左側方）に配置されている。第２送風ファン２２は、第２送風ファンモーター２４（図４参照）によって駆動され、調湿ローター１１の離脱部分１４を通る空気の流れを生成可能である。より詳細には、図５〜図８に示すように、第２送風ファン２２は、第５空気流Ａ５と、第６空気流Ａ６とを生成可能であり、これらの空気流は空気流路切換部２５によって切り換えられる。
【００４９】
図５および図６に示すように、第５空気流Ａ５は、室外から取り込まれ離脱部分１４を通り室内へ供給される空気の流れである。また、図７および図８に示すように、第６空気流Ａ６は、室外から取り込まれ離脱部分１４を通り室外へ排出される空気の流れである。
【００５０】
空気流路切換部２５は、第１送風ファン２１および第２送風ファン２２によって生成される空気の流れを切り換える装置であり、上記のような空気流が通る空気流路の開閉を行う複数の流路切換ダンパーなどによって構成されている。上述したように空気流路切換部２５は、第１送風ファン２１によって生成される空気流を第１空気流Ａ１、第２空気流Ａ２、第３空気流Ａ３、第４空気流Ａ４のいずれかに切り換えることができる。また、空気流路切換部２５は、第２送風ファン２２によって生成される空気流を第５空気流Ａ５と第６空気流Ａ６とのいずれかに切り換えることができる。
【００５１】
なお、この調湿装置３には、室外へ排出される空気が通る２つの排気口（図示せず）と、室外から取り込まれる空気が通る１つの給気口（図示せず）が設けられており、これらは室内の壁面等に設けられる孔を通って室外に連通している。また、室内へ供給される空気は、図１および図３に示すケーシング３０の吹出し口３２，３３から室内へと吹き出される。室内から取り込まれる空気は、ケーシング３０の吸込み口３１からケーシング３０の内部に取り込まれる。
【００５２】
〈制御部４０〉
図４に示す制御部４０は、ＣＰＵやメモリーなどの制御部品によって構成されており、加熱部１２、駆動部１３、第１送風ファンモーター２３、第２送風ファンモーター２４などの構成部品を制御する。制御部４０は、リモコン４１等から指令信号を受信することによって、調湿装置３の運転の制御を行う。
【００５３】
〔調湿運転の内容〕
この調湿装置３によって行われる調湿運転には、加湿運転と除湿運転とがある。加湿運転には、加湿給気運転と加湿給排気運転とがあり、除湿運転には、除湿給気運転と通常除湿運転とがある。以下、各運転について詳細に説明する。
【００５４】
〈加湿給気運転〉
加湿給気運転では、図５に示すように、第１送風ファン２１によって第１空気流Ａ１が生成されると共に、第２送風ファン２２によって第５空気流Ａ５が生成される。
【００５５】
この場合、室外から取り込まれた空気は調湿ローター１１の吸着部分１５を通り室外へ排出される。これにより、吸着部分１５には水分が吸着されると共に水分を失った乾燥空気が室外へ排出される。
【００５６】
また、調湿ローター１１のうち水分を吸着した部分は調湿ローター１１が回転することによって加熱部１２によって加熱される位置に移動して離脱部分１４となる。ここで、室外から取り込まれた空気は、離脱部分１４を通る際に水分の供給を受け、水分を多く含む加湿空気となる。そして、この加湿空気が室内へ供給される。
【００５７】
調湿ローター１１の回転が繰り返されることにより、上記の動作が繰り返される。これにより、無給水での室内の加湿が行われる。また、室外の清浄な空気が室内に供給されることにより、室内の給気換気が行われる。
【００５８】
〈加湿給排気運転〉
加湿給排気運転では、図６に示すように、第１送風ファン２１によって第２空気流Ａ２が生成されると共に、第２送風ファン２２によって第５空気流Ａ５が生成される。
【００５９】
この場合、室外から取り込まれた空気は調湿ローター１１の吸着部分１５を通った後に室内から取り込まれた空気と合流して室外へ排出される。これにより、吸着部分１５には水分が吸着されると共に水分を失った乾燥空気と、室内の汚れた空気とが室外へ排出される。
【００６０】
また、調湿ローター１１のうち水分を吸着した部分は調湿ローター１１が回転することによって加熱部１２によって加熱される位置に移動して離脱部分１４となる。ここで、室外から取り込まれた空気は離脱部分１４を通る際に水分の供給を受けることにより、水分を多く含む加湿空気となって室内へ供給される。
【００６１】
調湿ローター１１の回転が繰り返されることにより、上記の動作が繰り返される。これにより、無給水での室内の加湿が行われる。また、室外の清浄な空気が室内に供給されることにより室内の給気換気が行われると共に、室内の汚れた空気が室外へ排出されることにより、室内の排気換気が行われる。
【００６２】
〈除湿給気運転〉
除湿給気運転では、図７に示すように、第１送風ファン２１によって第３空気流Ａ３が生成されると共に、第２送風ファン２２によって第６空気流Ａ６が生成される。
【００６３】
この場合、室外から取り込まれた空気は、調湿ローター１１の吸着部分１５を通った後に室外へ排出される空気と室内へ供給される空気とに分かれる。これにより、吸着部分１５を通る際に水分を吸着されて水分が低減した除湿空気が室内へ供給されると共に、吸着部分１５を通った空気の一部が室外へ排出される。なお、吸着部分１５を通った空気の全てが室内に供給されるのではなく、その一部が室外へ排出されるのは、第１送風ファン２１による大出力の風量を調整するためである。
【００６４】
また、調湿ローター１１のうち水分を吸着した部分は調湿ローター１１が回転することによって加熱部１２によって加熱される位置に移動して離脱部分１４となる。ここで、室外から取り込まれた空気は離脱部分１４を通り、このとき水分が調湿ローター１１から離脱する。調湿ローター１１から離脱した水分は、空気と共に室外へ排出される。
【００６５】
調湿ローター１１の回転が繰り返されることにより、上記の動作が繰り返される。これにより、水の処理が不要な室内の除湿を行うことができる。また、室外の清浄な空気が室内に供給されることにより、室内の給気換気が行われる。
【００６６】
〈通常除湿運転〉
通常除湿運転では、図８に示すように、第１送風ファン２１によって第４空気流Ａ４が生成されると共に、第２送風ファン２２によって第６空気流Ａ６が生成される。
【００６７】
この場合、室内から取り込まれた空気は、調湿ローター１１の吸着部分１５を通った後に室内へ供給される。これにより、吸着部分１５を通る際に水分を吸着されて水分が低減した除湿空気が室内へ供給される。
【００６８】
また、調湿ローター１１のうち水分を吸着した部分は調湿ローター１１が回転することによって加熱部１２によって加熱される位置に移動して離脱部分１４となる。ここで、室外から取り込まれた空気は離脱部分１４を通り、このとき水分が調湿ローター１１から離脱される。調湿ローター１１から離脱された水分は、空気と共に室外へ排出される。
【００６９】
調湿ローター１１の回転が繰り返されることにより、上記の動作が繰り返される。これにより、水の処理が不要な室内の除湿を行うことができる。
【００７０】
〔特徴〕
（１）
この調湿装置３では、ケーシング３０を室内の壁面に取り付け、且つ、ケーシング３０の前面に室内ユニット２を取り付けることにより、調湿装置３を室内ユニット２と共に室内に設置することができる。このため、従来のように室外ユニット上に載置される調湿装置３の場合と異なり、調湿装置３と室内ユニット２とを繋ぐ長い送風用ホースが不要となり、現地据付工数を低減させることができる。
【００７１】
（２）
この調湿装置３では、ケーシング３０を室内の壁面に取り付け、且つ、ケーシング３０の前面に正面パネル３４を取り付けることにより、調湿装置３を単独で室内に設置することができる。また、ケーシング３０の前面に室内ユニット２を取り付けることにより、室内ユニット２との併用が可能である。このため、同種の調湿装置３を単独での使用と室内ユニット２との併用とのどちらにも利用することが可能となり、調湿装置３の生産性を向上させることができる。また、生産性の向上により調湿装置３の製造コストを低減させることができる。
【００７２】
（３）
この調湿装置３は、室内ユニット２とは別の制御部４０を備えており、室内ユニット２から独立して制御が可能である。このため、室内ユニット２による冷暖房運転と調湿装置３による調湿運転との併用、冷暖房運転および調湿運転のいずれか一方のみの運転を室内の状況に応じて切り替えて行うことができる。
【００７３】
（４）
この調湿装置３では、第１送風ファン２１と第２送風ファン２２との２つの送風ファンが備えられており、第１送風ファン２１と第２送風ファン２２との両方が駆動されるによって、室外から室内への給気と、室内から室外への排気とを同時に行うことができる。
【００７４】
また、第１送風ファン２１と第２送風ファン２２との風量を互いに独立して制御することにより、給気される空気の量と排気される空気の量とを別々に制御することも可能である。これにより、必要に応じて室内を正圧・負圧のいずれかに調整することができる。
【００７５】
＜第２実施形態＞
〔調湿装置５の構成〕
本発明の第２実施形態に係る調湿装置５を図９に示す。第１実施形態に係る調湿装置３では２つの送風ファン２１，２２が備えられていたが、この調湿装置５では、送風部は、送風ファン５１を１つだけ有している。送風ファン５１は、調湿ローター１１の側方（図９では右側方）に配置されている。なお、この調湿装置５では、加熱部１２は調湿ローター１１の上半分に対向して配置されている。
【００７６】
送風ファン５１は、図１０〜図１２に示すように、第７空気流Ａ７と第８空気流Ａ８と第９空気流Ａ９とを生成可能であり、これらの空気流は空気流路切換部２５によって切り換えられる。
【００７７】
図１０に示すように、第７空気流Ａ７は、室外から取り込まれ吸着部分１５を通った後に、調湿ローター１１の離脱部分１４を通り室内へ供給されるルートと、離脱部分１４を通らずに室外へ排出されるルートに分かれる空気の流れである。図１１に示すように、第８空気流Ａ８は、室外から取り込まれ吸着部分１５を通った後に、離脱部分１４を通り室外へ排出されるルートと、離脱部分１４を通らずに室内へ供給されるルートに分かれる空気の流れである。また、図１２に示すように、第９空気流Ａ９は、室内から取り込まれ吸着部分１５を通った後に、離脱部分１４を通り室外へ排出されるルートと、離脱部分１４を通らずに室内へ供給されるルートに分かれる空気の流れである。
【００７８】
なお、この調湿装置５には、室外へ排出される空気が通る排気口（図示せず）と、室外から取り込まれる空気が通る給気口（図示せず）とが１つずつ設けられており、これらは室内の壁面等に設けられる孔を通って室外に連通している。
【００７９】
他の構成については第１実施形態の調湿装置３と同様である。
【００８０】
〔調湿運転の内容〕
この調湿装置５によって行われる調湿運転には、加湿給気運転、除湿給気運転、除湿排気運転がある。以下、各運転について詳細に説明する。
【００８１】
〈加湿給気運転〉
加湿給気運転では、図１０に示すように、送風ファン５１によって第７空気流Ａ７が生成される。
【００８２】
この場合、室外から取り込まれた空気は、調湿ローター１１の吸着部分１５を通る。これにより、吸着部分１５に水分が吸着される。そして、調湿ローター１１の吸着部分１５を通った空気のうちの一部は、室外へ排出される。
【００８３】
一方、調湿ローター１１のうち水分を吸着した部分は調湿ローター１１が回転することによって加熱部１２によって加熱される位置に移動して離脱部分１４となる。ここで、調湿ローター１１の吸着部分１５を通った空気のうちの残りは、離脱部分１４を通る際に水分の供給を受けて加湿空気となり、室内へ供給される。
【００８４】
調湿ローター１１の回転が繰り返されることにより、上記の動作が繰り返される。これにより、無給水での室内の加湿が行われる。また、室外の清浄な空気が室内に供給されることにより、室内の給気換気が行われる。
【００８５】
〈除湿給気運転〉
除湿給気運転では、図１１に示すように、送風ファン５１によって第８空気流Ａ８が生成される。
【００８６】
この場合、室外から取り込まれた空気は、調湿ローター１１の吸着部分１５を通る。これにより、吸着部分１５に水分が吸着される。そして、吸着部分１５を通った空気の一部は、除湿空気として室内へ供給される。
【００８７】
一方、調湿ローター１１のうち水分を吸着した部分は調湿ローター１１が回転することによって加熱部１２によって加熱される位置に移動して離脱部分１４となる。ここで、調湿ローター１１の吸着部分１５を通った空気のうちの残りは、離脱部分１４を通り、この際に離脱部分１４から水分が離脱する。そして、離脱部分１４から離脱した水分は、空気と共に室外に排出される。
【００８８】
調湿ローター１１の回転が繰り返されることにより、上記の動作が繰り返される。これにより、水の処理が不要な室内の除湿を行うことができる。また、室外の清浄な空気が室内に供給されることにより、室内の給気換気が行われる。
【００８９】
〈除湿排気運転〉
除湿排気運転では、図１２に示すように、送風ファン５１によって第９空気流Ａ９が生成される。
【００９０】
この場合、室内から取り込まれた空気は、調湿ローター１１の吸着部分１５を通る。これにより、吸着部分１５に水分が吸着される。そして、吸着部分１５を通った空気の一部は、除湿空気として室内へ供給される。
【００９１】
一方、調湿ローター１１のうち水分を吸着した部分は調湿ローター１１が回転することによって加熱部１２によって加熱される位置に移動して離脱部分１４となる。ここで、調湿ローター１１の吸着部分１５を通った空気のうちの残りは、離脱部分１４を通り、この際に離脱部分１４から水分が離脱する。そして、離脱部分１４から離脱した水分は、空気と共に室外に排出される。
【００９２】
調湿ローター１１の回転が繰り返されることにより、上記の動作が繰り返される。これにより、水の処理が不要な室内の除湿を行うことができる。また、室内の汚れた空気が室外へ排出されることにより、室内の排気換気が行われる。
【００９３】
〔特徴〕
（１）
この調湿装置５においても、上記の第１実施形態に係る調湿装置３と同様の効果を奏することができる。
【００９４】
（２）
この調湿装置５では、加湿運転時には、１つの送風ファン５１によって、調湿ローター１１に水分を供給して室外に排出される空気の流れと、調湿ローター１１から水分を供給されて室内へ供給される加湿空気の流れとが生成され、無給水による室内の加湿が可能となっている。また、除湿運転時には、１つの送風ファン５１によって、調湿ローター１１において水分を吸着されて室内へ供給される除湿空気の流れと、調湿ローター１１から離脱した水分を室外へ排出するための空気の流れとが生成され、水の処理が不要な室内の除湿が可能となっている。
【００９５】
また、送風ファン５１および送風ファン５１を駆動するモーターが１つずつでよいため、製造コストを低減することができる。また、消費エネルギーが低減されることにより、省エネルギー化が実現されている。
【００９６】
（３）
この調湿装置５では、排出口と給気口とが１つずつ設けられるため、排出口と給気口とを室外に連通させるための孔を２つだけ室内の壁面に設ければよい。このため、第１実施形態のように３つの孔が必要になる場合と比べて、調湿装置５を室内に設置する際の施工性が向上している。
【００９７】
なお、図１３に示すように、排出口５３と給気口５４とが１つの配管に設けられた２重管５２を調湿装置５の背面に設けることも考えられる。この場合、室内の壁面には２重管５２を通すための孔を１つだけ設ければよい。
【００９８】
＜他の実施形態＞
（ａ）
上記の第１実施形態において、室外から取り込まれた空気を除湿して室内へ送ると共に、室内の空気を取り込んで室外へ排出する除湿給排気運転が行われてもよい。この場合、第１送風ファン２１は、室外から取り込まれ吸着部分１５を通り室内へと供給される空気の流れを生成する。また、第２送風ファン２２は、室内から取り込まれ離脱部分１４を通り室外へ排出される空気の流れを生成する。
【００９９】
（ｂ）
上記の実施形態では、吸込み口３１と吹出し口３２，３３とは共にケーシング３０の上面に設けられているが、吸込み口がケーシング３０の上面に設けられ、吹出し口がケーシング３０の下面に設けられてもよい。
【０１００】
（ｃ）
上記の第１実施形態において、加熱部１２は調湿ローター１１の左半分に対向しているが、右半分に対向するように配置されてもよい。
【０１０１】
また、第２実施形態において、加熱部１２は調湿ローター１１の上半分に対向しているが、下半分に対向するように配置されてもよい。
【０１０２】
（ｄ）
上記の第１実施形態において、図１４に示すように第１０空気流Ａ１０が第１送風ファン２１によって生成されてもよい。第１０空気流Ａ１０は、室内から取り込まれた空気と室外から取り込まれた空気とが合流した後に吸着部分１５を通り室内へと供給される空気の流れである。この場合、室外の空気を室内に給気しながら室内の除湿を行うことができる。なお、第１０空気流Ａ１０において、室内から取り込まれた空気と室外から取り込まれた空気とが別々に吸着部分１５を通った後に合流して室内に供給されてもよい。
【産業上の利用可能性】
【０１０３】
本発明は、現地据付工数を低減させることができる効果を有し、調湿装置および空気調和機として有用である。
【図面の簡単な説明】
【０１０４】
【図１】調湿装置に室内ユニットを取り付けた状態の空気調和機の外観図。
【図２】第１実施形態に係る調湿装置の構成を示す図。
【図３】正面パネルが取り付けられた状態の調湿装置の外観図。
【図４】調湿装置の制御ブロック図。
【図５】加湿給気運転時の空気の流れを示す模式図。
【図６】加湿給排気運転時の空気の流れを示す模式図。
【図７】除湿給気運転時の空気の流れを示す模式図。
【図８】通常除湿運転時の空気の流れを示す模式図。
【図９】第２実施形態に係る調湿装置の構成を示す図。
【図１０】加湿給気運転時の空気の流れを示す模式図。
【図１１】除湿給気運転時の空気の流れを示す模式図。
【図１２】除湿排気運転時の空気の流れを示す模式図。
【図１３】調湿装置の背面の構成を示す図。
【図１４】他の実施形態に係る除湿運転時の空気の流れを示す模式図。
【符号の説明】
【０１０５】
１          空気調和機
２          室内ユニット
３，５      調湿装置
１０        調湿部
１１        調湿ローター
１３        駆動部
１４        離脱部分
１５        吸着部分
２０        送風部
２１        第１送風ファン
２２        第２送風ファン
３０        ケーシング
３１        吸込み口
３２，３３  吹出し口
３４        正面パネル
５１        送風ファン
【図１】
2008073651.tif 000003
【図２】
2008073651.tif 000004
【図３】
2008073651.tif 000005
【図４】
2008073651.tif 000006
【図５】
2008073651.tif 000007
【図６】
2008073651.tif 000008
【図７】
2008073651.tif 000009
【図８】
2008073651.tif 000010
【図９】
2008073651.tif 000011
【図１０】
2008073651.tif 000012
【図１１】
2008073651.tif 000013
【図１２】
2008073651.tif 000014
【図１３】
2008073651.tif 000015
【図１４】
2008073651.tif 000016